(57)【要約】【課題】機構的スイッチを用いずに、装置の操作に対するホールド機能を容易に設定／解除を可能とする。【解決手段】タッチパネル操作部１２２を備える操作部１２は各種操作を受け付ける。ホールド機能処理部１７１は操作部１２によって受け付けられた操作による処理を制限する。検出部１３は所定の装置の近接を検出する。制御部１７は検出部１３における検出に基づき、所定の装置が近接しているときはホールド機能処理部による制限を解除させ、所定の装置が近接していないときはホールド機能処理部による制限を行わせる処理を行う。【選択図】図１
2012142863.tif 000002
【特許請求の範囲】
【請求項１】
各種操作を受け付ける操作部、
前記操作部によって受け付けられた操作による処理を制限するホールド機能処理部、
所定の装置の近接を検出する検出部、
前記検出部における検出に基づき、前記所定の装置が近接しているときは前記ホールド機能処理部による制限を解除させ、前記所定の装置が近接していないときは前記ホールド機能処理部による制限を行わせる処理を行う制御部、
を備えることを特徴とする、携帯型電子装置。
【請求項２】
前記検出部は、前記所定の装置と近距離通信を行うことによって前記所定の装置の近接を検出し、
前記制御部は、前記検出部において前記所定の装置との近距離通信が可能である場合は前記所定の装置が近接していると判断し、前記所定の装置との近距離通信が不可能である場合には前記所定の装置が近接していないと判断する、
ことを特徴とする請求項１に記載の携帯型電子装置。
【請求項３】
前記操作部は、タッチパネルを用いたタッチパネル操作部を備え、
前記ホールド機能処理部は、前記タッチパネル操作部によって受け付けられた操作による処理を制限する、
ことを特徴とする請求項１または２に記載の携帯型電子装置。
【請求項４】
前記タッチパネル操作部は、前記ホールド機能処理部を動作させる操作を受け付けるホールド操作部を備え、
前記制御部は、前記ホールド操作部による操作によって前記ホールド機能処理部が動作している場合に、前記検出部における前記所定の装置の検出に基づく処理を行う、
ことを特徴とする請求項３に記載の携帯型電子装置。
【請求項５】
前記制御部は、コンテンツの動作を処理するコンテンツ動作処理部を備え、
前記操作部は       、前記コンテンツ動作処理部によるコンテンツの動作に係る操作を受け付けるコンテンツ操作部を備え、
前記制御部は、前記コンテンツ動作処理部によるコンテンツの動作が行われている場合に、前記検出部における前記所定の装置の検出に基づく処理を行う、
ことを特徴とする請求項１から４のいずれか１項に記載の携帯型電子装置。
【請求項６】
携帯型電子装置およびホールド設定装置とからなり、
前記携帯型電子装置は、
各種操作を受け付ける操作部、
前記操作部によって受け付けられた操作による処理を制限するホールド機能処理部、
前記ホールド設定装置の近接を検出する検出部、
前記検出部における検出に基づき、前記ホールド設定装置が近接しているときは前記ホールド機能処理部による制限を解除させ、前記ホールド設定装置が近接していないときは前記ホールド機能処理部による制限を行わせる処理を行う制御部、
を備え、
前記ホールド設定装置は、
前記検出部に対して非接触で近接を検出させる被検出部を備える、
ことを特徴とするホールド設定システム。
【請求項７】
所定の装置の近接を検出する検出ステップ、
前記検出ステップによる所定の装置の検出に基づき、前記所定の装置が近接しているときは各種操作を受け付ける操作部によって受け付けられた操作による処理の制限を解除させ、前記所定の装置が近接していないときは前記操作部によって受け付けられた操作による処理の制限を行わせる制御ステップ、
を備えることを特徴とする、携帯型電子装置の制御方法。
【請求項８】
携帯型電子装置が備えるコンピュータに、
所定の装置の近接を検出する検出ステップ、
前記検出ステップによる所定の装置の検出に基づき、前記所定の装置が近接しているときは各種操作を受け付ける操作部によって受け付けられた操作による処理の制限を解除させ、前記所定の装置が近接していないときは前記操作部によって受け付けられた操作による処理の制限を行わせる制御ステップ、
を実行させることを特徴とする、プログラム。
【発明の詳細な説明】
【技術分野】
【０００１】
本発明は、装置の操作に対するホールド機能を容易に設定／解除可能な携帯型電子装置、ホールド設定システム、携帯型電子装置の制御方法、プログラムに関する。
【背景技術】
【０００２】
各種携帯型電子装置が普及しており、これらの携帯型電子装置は例えば音声や映像等の各種コンテンツの再生または記録を行う機能を有している。このような携帯型電子装置においては、動作中に例えばポケットや鞄の中に入れて使用することがあり、外圧によって意図しない操作が行われてしまう可能性がある。
【０００３】
このような意図しない操作を防止するために、従来の携帯型電子装置にはホールドスイッチが備えられており、ホールドスイッチを操作することによって他の操作部による操作を無効とし、意図しない操作が行われることを防止している。
【０００４】
また、各種携帯型電子装置における操作部のタッチパネル化が進んでおり、タッチパネルへの意図しない外圧による誤動作防止には、タッチパネルを用いずに機構的なスイッチによるホールドスイッチを必要とする。
【先行技術文献】
【特許文献】
【０００５】
【特許文献１】特開２００８−６５８９９号公報
【発明の概要】
【発明が解決しようとする課題】
【０００６】
携帯型電子装置において、機構的スイッチによりホールド機能の設定／解除を行う場合、携帯型電子装置の筐体にホールドスイッチ専用の取り付け部を設けなければならず、携帯型電子装置の小型化や筐体のデザインに支障をきたしていた。
【０００７】
また、タッチパネルによる操作を行う携帯型電子装置においても、タッチパネルによる操作部に対するホールド機能を実現するには、機構的スイッチを別途設ける必要があった。
【０００８】
また、機構的スイッチを携帯型電子装置の筐体に設けた場合、携帯型電子装置が防水構造である場合には、機構的スイッチが防水構造である必要があり、構造の複雑化、高コスト化が生じていた。
【０００９】
本発明はこのような問題点に鑑みなされたものであり、機構的スイッチを用いずに、装置の操作に対するホールド機能を容易に設定／解除可能な携帯型電子装置、ホールド設定システム、携帯型電子装置の制御方法、プログラムを提供することを目的とする。
【課題を解決するための手段】
【００１０】
上記目的を達成するために、第１の発明に係る携帯型電子装置（１０）は、各種操作を受け付ける操作部（１２）、前記操作部（１２）によって受け付けられた操作による処理を制限するホールド機能処理部（１７１）、所定の装置の近接を検出する検出部（１３）、前記検出部（１３）における検出に基づき、前記所定の装置が近接しているときは前記ホールド機能処理部（１７１）による制限を解除させ、前記所定の装置が近接していないときは前記ホールド機能処理部（１７１）による制限を行わせる処理を行う制御部（１７）、を備えることを特徴とする。
【００１１】
第２の発明に係る携帯型電子装置（１０）は、第１の発明において、前記検出部（１３）は、前記所定の装置と近距離通信を行うことによって前記所定の装置の近接を検出し、前記制御部（１７）は、前記検出部（１３）において前記所定の装置との近距離通信が可能である場合は前記所定の装置が近接していると判断し、前記所定の装置との近距離通信が不可能である場合には前記所定の装置が近接していないと判断する、ことを特徴とする。
【００１２】
第３の発明に係る携帯型電子装置（１０）は、第１または第２の発明において、  前記操作部（１２）は、タッチパネルを用いたタッチパネル操作部（１２２）を備え、前記ホールド機能処理部（１７１）は、前記タッチパネル操作部（１２２）によって受け付けられた操作による処理を制限する、ことを特徴とする。
【００１３】
第４の発明に係る携帯型電子装置（１０）は、第３の発明において、前記タッチパネル操作部（１２２）は、前記ホールド機能処理部（１７１）を動作させる操作を受け付けるホールド操作部（１２３）を備え、前記制御部（１７）は、前記ホールド操作部（１２３）による操作によって前記ホールド機能処理部（１７１）が動作している場合に、前記検出部（１３）における前記所定の装置の検出に基づく処理を行う、ことを特徴とする。
【００１４】
第５の発明に係る携帯型電子装置（１０）は、第１から第４のいずれか１の発明において、前記制御部（１７）は、コンテンツの動作を処理するコンテンツ動作処理部（１７２）を備え、前記操作部（１２）は、前記コンテンツ動作処理部（１７２）によるコンテンツの動作に係る操作を受け付けるコンテンツ操作部（１２４）を備え、前記制御部（１７）は、前記コンテンツ動作処理部（１７２）によるコンテンツの動作が行われている場合に、前記検出部（１３）における前記所定の装置の検出に基づく処理を行う、ことを特徴とする。
【００１５】
第６の発明に係るホールド設定システム（３０）は、携帯型電子装置（１０）およびホールド設定装置（２０）とからなり、前記携帯型電子装置（１０）は、    各種操作を受け付ける操作部（１２）、前記操作部（１２）によって受け付けられた操作による処理を制限するホールド機能処理部（１７１）、前記ホールド設定装置（２０）の近接を検出する検出部（１３）、前記検出部（１３）における検出に基づき、前記ホールド設定装置（２０）が近接しているときは前記ホールド機能処理部（１７１）による制限を解除させ、前記ホールド設定装置（２０）が近接していないときは前記ホールド機能処理部（１７１）による制限を行わせる処理を行う制御部（１７）、を備え、前記ホールド設定装置（２０）は、前記検出部（１３）に対して非接触で近接を検出させる被検出部（２１、２２）を備える、ことを特徴とする。
【００１６】
第７の発明に係る携帯型電子装置（１０）の制御方法は、所定の装置の近接を検出する検出ステップ、前記検出ステップによる所定の装置の検出に基づき、前記所定の装置が近接しているときは各種操作を受け付ける操作部（１２）によって受け付けられた操作による処理の制限を解除させ、前記所定の装置が近接していないときは前記操作部（１２）によって受け付けられた操作による処理の制限を行わせる制御ステップ、を備えることを特徴とする。
【００１７】
第８の発明に係るプログラムは、携帯型電子装置（１０）が備えるコンピュータを、所定の装置の近接を検出する検出ステップ、前記検出ステップによる所定の装置の検出に基づき、前記所定の装置が近接しているときは各種操作を受け付ける操作部（１２）によって受け付けられた操作による処理の制限を解除させ、前記所定の装置が近接していないときは前記操作部（１２）によって受け付けられた操作による処理の制限を行わせる制御ステップ、として実行さえることを特徴とする。
【発明の効果】
【００１８】
本発明によれば、機構的スイッチを用いずに、装置の操作に対するホールド機能を容易に設定／解除を可能とすることができる。
【図面の簡単な説明】
【００１９】
【図１】本発明の第１の実施例に係る携帯型電子装置のブロック図である。
【図２】本発明におけるホールド設定システムを構成するホールド設定装置のブロック図の例である。
【図３】本発明におけるホールド設定システムの一例を示す概念図である。
【図４】本発明の第１の実施例に係る携帯型電子装置の動作を表すフローチャートである。
【図５】本発明の第２の実施例に係る携帯型電子装置のブロック図である。
【図６】本発明の第２の実施例に係る携帯型電子装置の動作を表すフローチャートである。
【図７】本発明の第３の実施例に係る携帯型電子装置のブロック図である。
【図８】本発明の第３の実施例に係る携帯型電子装置の動作を表すフローチャートである。
【図９】本発明におけるホールド設定システムの他の例を示す概念図である。
【図１０】本発明におけるホールド設定システムの他の例を示す概念図である。
【発明を実施するための形態】
【００２０】
以下、本発明における携帯型電子装置１０およびホールド設定システム３０における第１の実施例について、図１から図４を参照して説明する。
【００２１】
図１は、第１の実施例における携帯型電子装置１０のブロック図であり、携帯型電子装置１０は例えば携帯電話、スマートフォン、携帯型メディアプレーヤ、ＰＮＤ（Portable Navigation Device）、ＰＤＡ（Personal Digital Assistants）等、各種携帯型の電子装置を対象とする。
【００２２】
携帯型電子装置１０は、表示部１１、操作部１２、検出部１３、入力部１４、出力部１５、第１の記憶部１６、第１の制御部１７を備える。
【００２３】
表示部１１は、例えば液晶表示素子や有機ＥＬ（Electro Luminescence）表示素子などにより構成され、第１の制御部１７の処理により各種情報を表示する。また表示部１１は、後述するタッチパネル操作部１２２による操作を受け付ける際は、タッチパネル操作部１２２の操作位置に対応した各種操作アイコンを表示する。
【００２４】
操作部１２は、機構的スイッチや、表示部１１上に設けられたタッチパネル操作部１２２、携帯型電子装置１０と例えば赤外線通信や有線による通信を行う図示しないリモコン装置等であり、第１の制御部１７の制御により各々対応付けられた処理や入力を行うための操作を受け付ける。
【００２５】
操作部１２は、携帯型電子装置１０の電源をオン／オフさせる電源操作部１２１、表示部１１上に設けられ、ユーザによるタッチ操作を受け付けるタッチパネル操作部１２２を備える。
【００２６】
検出部１３は、後述するホールド設定装置２０の近接を検出する。検出部１３は例えばホールド設定装置２０との近距離通信を行うインターフェースであり、一例としては非接触ＩＣ通信を行う第１のコイル部１３１および第１のコイル部１３１が伝送する信号の変調と復調を行うＲＦ部１３２を備える。また、第１のコイル部１３１は、ホールド設定装置２０との通信が電磁誘導式である場合は、ホールド設定装置２０に対して電磁誘導による電力を供給する。
【００２７】
入力部１４は、外部からの各種データを入力する。入力部１４は、例えば外部からのアナログ音声信号やデジタル音声データ、映像データの入力が可能な入力端子や、携帯型電子装置１０に備えられ音声信号を取得するマイクロホン等である。さらに入力部１４は、外部から入力されるアナログ音声信号をデジタル音声データに変換するＡＤＣ（Analog Digital Converter）を包含してもよい。
【００２８】
出力部１５は、後述する第１の記憶部１６に記憶された各種データを出力する。出力部１５は、例えばアナログ音声信号やデジタル音声データを出力するスピーカやヘッドホン端子等の各種音声装置や音声出力端子、映像データを出力する各種出力端子である。出力部１５は、デジタル音声データをアナログ音声信号に変換するＤＡＣ（Digital Analog Converter）、ＤＡＣによりアナログ信号に変換された音声信号を増幅するオペアンプ等の増幅部を包含してもよい。
【００２９】
第１の記憶部１６は、音声データや映像データ、テキストデータなど各種データを記憶する。第１の記憶部１６は、例えばＨＤＤ（Hard Disk Drive）やフラッシュメモリより構成される。ＨＤＤやフラッシュメモリは携帯型電子装置１０に内蔵されるが、入力部１４としての所定のインターフェースにより携帯型電子装置１０に接続される外部のデバイスであってもよい。具体的には、ＵＳＢ（Universal Serial Bus）により接続される外付けＨＤＤやＵＳＢメモリ、所定のメモリカードスロットにより接続されるメモリカードなどである。
【００３０】
第１の制御部１７は、例えばＣＰＵ（Central Processing Unit）ＲＡＭ（Random Access Memory）、ＲＯＭ（Read Only Memory）、やＤＳＰ（Digital Signal Processor）、映像処理用プロセッサ等により構成され、各部の制御や必要な情報処理を行う。また、第１の制御部１７は、上記各構成要素によって実現されるホールド機能処理部１７１を備える。
【００３１】
第１の制御部１７は、例えば第１の記憶部１６に記憶された各種コンテンツのデコードや音質調整、画質調整等の信号処理を行い、出力部１５や表示部１１に出力する。また、第１の制御部１７は、入力部１４により入力された各種データのエンコードや第１の記憶部１６への記録を行う。
【００３２】
第１の制御部１７は、操作部１２が受け付けた各種操作指示に基づき各部を動作させ、また各種データの処理を行う。第１の制御部１７は、表示部１１にタッチパネル操作部１２２に対応付けられた各種操作に関する表示を行い、タッチパネル操作部１２２による操作の受け付けに対応した各種処理を行う。
【００３３】
第１の制御部１７は、検出部１３からの信号に基づき、ホールド設定装置２０との通信が可能となったこと、つまりホールド設定装置２０が通信可能な程度に近接したことを判断する。また、ホールド設定装置２０との通信において、ホールド設定装置２０が所定のＩＤを有する場合は、検出部１３からの信号に基づきＩＤを検出し、自装置である携帯型電子装置１０に対応するホールド設定装置２０であるか否かを判断する。
【００３４】
ホールド機能処理部１７１は、第１の制御部１７による判断に基づき、操作部１２における操作の受け付けを制限する処理を行う。操作部１２において制限される操作は、操作部１２による操作全てであってもよく、一部であってもよい。また操作部１２におけるタッチパネル操作部１２２への操作のみを制限してもよい。
【００３５】
ホールド設定装置２０は、ユーザの意思により携帯型電子装置１０との距離を近接または離間させることが容易な小型の装置であって、例えばＩＣタグ等のＲＦＩＤ（Radio Frequency Identification）技術によって携帯型電子装置１０との近距離通信を行う。ホールド設定装置２０は、近距離通信を行うための専用の装置に限らず他の装置やアクセサリー等に内蔵するなど各種形態をとることができ、少なくとも第２のコイル部２１、第２の制御部２２、第２の記憶部２３を備える。
【００３６】
第２のコイル部２１は、ホールド設定装置２０が携帯型電子装置１０における第１のコイル部１３１が生成する電界内に入った場合、その電界における電磁誘導によって第１のコイル部１３１からの信号を受信するとともに、第２の制御部２２や第２の記憶部２３に電力を供給し、第２の制御部２２が出力した信号を第１のコイル部１３１に伝送する。
【００３７】
第２の制御部２２は、例えば近距離通信用のＩＣからなり、第２のコイル部２１と第１のコイル部１３１との通信および情報の授受を制御する。
【００３８】
また、第２のコイル部２１および第２の制御部２２は、携帯型電子装置１０における検出部１３に検出される被検出部として機能する。
【００３９】
第２の記憶部２３は、ＲＡＭやＲＯＭ等により構成され、近距離通信を行うプログラムやＩＤ情報を記憶する。
【００４０】
図３は、上述した携帯型電子装置１０とホールド設定装置２０とからなるホールド設定システム３０の一例であり、携帯型電子装置１０が矩形のポータブルメディアプレイヤであり、ホールド設定装置２０が携帯型電子装置１０に対して小型の装置である場合を示している。図３に示す携帯型電子装置１０は、矩形の筐体を有しているため、上面１０１、側面１０２、表面１０３、下面１０４を有し、表面１０３に表示部１１およびタッチパネル操作部１２２を備える。
【００４１】
次に、本発明における第１の実施例に係る携帯型電子装置１０の動作について図４を用いて説明する。
【００４２】
先ず、本動作は携帯型電子装置１０の電源が入れられることによって動作を開始する（ステップＳ１０）。ステップＳ１０の処理は、ユーザが操作部１２における電源操作部１２１を操作することにより電源がオンとなることである。携帯型電子装置１０がスリープモードの動作を可能としている場合は、スリープモードからの復帰であってもよい。携帯型電子装置１０の電源が入れられる前はタッチパネル操作部１２２が動作しないため、電源操作部１２１は機構的スイッチであることが好ましい。ただし、電源オン操作がスリープモードからの復帰である場合は、電源操作部１２１は図示しないリモコンの操作によるものや、タッチパネル操作部１２２の操作によるものであってもよい。
【００４３】
次に、第１の制御部１７は検出部１３においてホールド設定装置２０が検出されているか否かを判断する（ステップＳ１１）。この処理は、検出部１３においてホールド設定装置２０との通信が行われている場合は、ホールド設定装置２０が検出されているとする。ここでいう通信とは、ホールド設定装置２０が携帯型電子装置１０に近接することにより第１のコイル部１３１により発生している電界の所定強度範囲内に第２のコイル部２１が存在し、情報の授受を行っている状態である。
【００４４】
このような通信方式には、第１のコイル部１３１によって発生する電界の強度等によって規格化されており、約１０ｃｍ程度まで通信可能な近接型であることが好ましい。ただし、使用用途によっては通信距離が２ｍｍまでの密着型や、通信距離が７０ｃｍ程度までの近傍型であってもよい。
【００４５】
ステップＳ１１において、ホールド設定装置２０が検出されていないと判断された場合は（ステップＳ１１：Ｎｏ）、ホールド機能処理部１７１の処理によりホールド機能を動作させる（ステップＳ１２）。ホールド機能処理部１７１によるホールド機能の動作とは、操作部１２における全てまたは一部の操作の受付を無効にする処理を行うことである。
【００４６】
ステップＳ１２において、操作部１２における全ての操作の受付を無効とした場合は、携帯型電子装置１０にホールド設定装置２０を近接させるまで、電源オフ操作も含めて操作が無効となる。操作部１２における一部の操作の受付を無効とする場合は、電源操作部１２１の操作を無効としない制御や、タッチパネル操作部１２２における操作のみを無効とする制御を行うことも可能である。また、タッチパネル操作部１２２の操作における一部の操作のみを無効とすることも可能である。
【００４７】
ステップＳ１２におけるホールド機能の動作中、第１の制御部１７は検出部１３によるホールド設定装置２０の検出を監視し続け、ホールド設定装置２０が検出されているか否かを判断する（ステップＳ１３）。ステップＳ１３においてホールド設定装置２０が検出された判断された場合は（ステップＳ１３：Ｙｅｓ）、ホールド機能処理部１７１によるホールド機能を解除させる（ステップＳ１４）。ステップＳ１３においてホールド設定装置２０が検出されていないと判断した場合は（ステップＳ１３：Ｎｏ）、ステップＳ１３の処理を繰り返す。
【００４８】
ステップＳ１４において、ホールド機能が解除された場合、およびステップＳ１１においてホールド設定装置２０が検出されていると判断された場合（ステップＳ１１：Ｎｏ）は、第１の制御部１７は電源操作部１２１において電源オフ操作が受け付けられたか否かを判断する（ステップＳ１５）。ステップＳ１５の処理は携帯型電子装置１０がスリープモードの動作を可能としている場合は、スリープモードへの移行であってもよい。
【００４９】
ステップＳ１５において、電源オフ操作が受け付けられていないと判断された場合は（ステップＳ１５：Ｎｏ）、ステップＳ１１に遷移し、ホールド設定装置２０の検出判断を継続する。ステップＳ１５において電源オフ操作が受け付けられたと判断された場合は（ステップＳ１５：Ｙｅｓ）、本処理を終了するとともに、携帯型電子装置１０の電源をオフとする。
【００５０】
上述したような処理によれば、携帯型電子装置１０にホールド設定装置２０が近接している間のみ操作部１２による操作が可能となるため、ユーザは特別な操作を行うことなく携帯型電子装置１０の誤操作を防止することができる。また、ホールド設定装置２０との近距離通信の際に、第２の記憶部２３に記憶されているＩＤを携帯型電子装置１０が取得し、携帯型電子装置１０に予め登録してあるＩＤとの照合を行うことにより、ホールド機能のオン／オフを行うことも可能である。この場合は携帯型電子装置１０に対して特定のホールド設定装置２０のみの近接によりホールド機能を解除させることが可能となるため、携帯型電子装置１０の操作にセキュリティ性を持たせることができる。
【００５１】
次に、本発明における携帯型電子装置１０の第２の実施例について、図５および図６を参照して説明する。
【００５２】
図５は、第２の実施例における携帯型電子装置１０のブロック図である。第１の実施例と異なる要素は、タッチパネル操作部１２２にホールド操作部１２３を備えている点であり、他の構成は共通するため説明は省略する。
【００５３】
ホールド操作部１２３は、タッチパネル操作部１２２によって実現され、携帯型電子装置１０においてタッチパネル操作部１２２による操作の受け付けが可能なときに操作を行うことによって、ホールド機能処理部１７１によるホールド機能のオン／オフを行うことができる。
【００５４】
次に、本発明における第２の実施例に係る携帯型電子装置１０の動作について図６を用いて説明する。図６における動作は、携帯型電子装置１０の電源が既に入っていることが前提である。
【００５５】
先ず、第１の制御部１７はタッチパネル操作部１２２におけるホールド操作部１２３が操作されることによってホールド機能処理部によりホールド機能がオンとされたか否かを判断する（ステップＳ２０）。この処理は、タッチパネル操作部１２２を用いて、ユーザがメニュー表示等からホールド機能を操作するアイコンを操作することにより実施される。
【００５６】
ステップＳ２０において、ホールド操作部１２３の操作によるホールド機能がオンとされていないと判断された場合は（ステップＳ２０：Ｎｏ）、ステップＳ２０による処理を繰り返す。ステップＳ２０において、ホールド機能がオンとされたと判断された場合は（ステップＳ２０：Ｙｅｓ）、ホールド機能処理部１７１によりホールド機能を動作させる（ステップＳ２１）。
【００５７】
ホールド機能処理部１７１の処理によるホールド機能の動作とは、第１の実施例同様であり、操作部１２における全てまたは一部の操作の受付を無効にする処理を行うことであり、無効とする操作はホールド操作部１２３による操作も含む。
【００５８】
ステップＳ２１におけるホールド機能の動作中、第１の制御部１７は検出部１７によるホールド設定装置２０の検出を監視し続け、ホールド設定装置２０が検出されているか否かを判断する（ステップＳ２２）。ステップＳ２２においてホールド設定装置２０が検出されたと判断された場合は（ステップＳ２２：Ｙｅｓ）、ホールド機能処理部１７１によるホールド機能を解除させる（ステップＳ２３）。ステップＳ２２においてホールド設定装置２０が検出されていないと判断された場合は（ステップＳ２２：Ｎｏ）、ステップＳ２２の処理を繰り返す。
【００５９】
ステップＳ２３において、ホールド機能が解除された場合、第１の制御部１７は、ホールド操作部１２３が操作されることによってホールド機能処理部によるホールド機能がオフとされたか否かを判断する（ステップＳ２４）。ステップＳ２４において、ホールド機能がオフとされたと判断された場合は（ステップＳ２４：Ｙｅｓ）、本処理を終了する。ステップＳ２４において、ホールド機能がオフとされていないと判断された場合は、第１の制御部１７は、検出部１７によるホールド設定装置２０の検出を監視し続け、ホールド設定装置２０が検出されているか否かを判断する（ステップＳ２５）。
【００６０】
ステップＳ２５において、ホールド設定装置２０が検出されていると判断された場合は（ステップＳ２５：Ｙｅｓ）、ステップＳ２４に推移し、検出部１７によるホールド設定装置２０の検出を監視し続ける。ステップＳ２５において、ホールド設定装置２０が検出されていないと判断された場合は（ステップＳ２５：Ｎｏ）、ホールド機能処理部１７１によりホールド機能を動作させ（ステップＳ２６）、ステップＳ２２に推移して、検出部１７によるホールド設定装置２０の検出を監視し続ける。
【００６１】
上述したような処理によれば、一旦ホールド操作部１２３によりホールド機能を動作させた場合は、次にホールド操作部１２３によりホールド機能を解除するまでの間、ホールド設定装置２０の近接によってのみホールド機能を解除することができる。このため、ユーザがホールド機能を動作させる意図が反映された上で、容易に携帯型電子装置１０の誤操作を防止することができる。
【００６２】
次に、本発明における携帯型電子装置１０の第３の実施例について、図７および図８を参照して説明する。
【００６３】
図７は、第３の実施例における携帯型電子装置１０のブロック図である。第１の実施例と異なる要素は、タッチパネル操作部１２２にコンテンツ操作部１２４を備え、第１の制御部１７に、第１の制御部１７を構成する各要素により実現されるコンテンツ動作処理部１７２を備えている点であり、他の構成は共通するため説明は省略する。
【００６４】
コンテンツ操作部１２４は、タッチパネル操作部１２２によって実現され、具体的にはコンテンツの再生開始や再生終了、記録開始や記録終了を指示する操作を受け付ける。
【００６５】
コンテンツ動作処理部１７２は、コンテンツ操作部１２４によって受け付けられる操作によって、コンテンツの動作に係る処理を行う。具体的には、表示部１１に表示されたコンテンツ選択画面等におけるコンテンツ操作部１２４の操作によって、選択されたコンテンツの再生操作が行われた場合、コンテンツの再生処理を行う。コンテンツの再生処理とは、第１の記憶部１６に記憶されているコンテンツデータの読み出し、エンコード処理、出力部１５への出力処理等であり、音質調整処理や音量調整処理を含んでもよい。
【００６６】
さらにコンテンツ動作処理部１７２によるコンテンツの動作に係る処理の例としては、記録処理があり、入力部１４より入力された信号やデータをエンコード処理し、またはエンコード処理せずに第１の記憶部１６に記憶する処理である。
【００６７】
次に、本発明における第３の実施例に係る携帯型電子装置１０の動作について図８を用いて説明する。図８における動作は、携帯型電子装置１０の電源が既に入っていることが前提であり、第２の実施例と共通する動作については同一番号を付与し説明を省略する。
【００６８】
先ず、第１の制御部１７は、コンテンツ操作部１２４が操作されることによってコンテンツの動作に係る処理が開始されたか否かを判断する。（ステップＳ３０）。以下、コンテンツの動作に係る処理の一例としてコンテンツの再生について説明する。
【００６９】
ステップＳ３０において、コンテンツ動作の開始操作が行われていないと判断された場合（ステップＳ３０：Ｎｏ）、つまりコンテンツの再生開始操作が行われていないと判断された場合は、ステップＳ３０の処理を繰り返す。コンテンツの再生開始操作が行われていない状態とは、再生対象とするコンテンツの検索処理中を含む。
【００７０】
ステップＳ３０において、コンテンツ動作の開始操作が行われたと判断された場合は（ステップＳ３０：Ｙｅｓ）、つまりコンテンツの再生開始操作が行われた判断された場合は、コンテンツ動作処理部１７２によりコンテンツの動作を開始させる（ステップＳ３１）、つまりコンテンツの再生を開始させる。
【００７１】
ステップＳ３１において、コンテンツの動作が開始された後、ホールド機能処理部１７１によりホールド機能を動作させる（ステップＳ２１）。
【００７２】
ステップＳ２３において、ホールド設定装置２０の近接によってホールド機能が解除された場合、第１の制御部１７はコンテンツ操作部１２４が操作されることによってコンテンツの動作に係る処理が停止されたか否かを判断する（ステップＳ３２）。つまり、コンテンツの再生停止操作が行われたか否かを判断する。
【００７３】
ステップＳ３２において、コンテンツ動作の停止が行われていないと判断された場合は（ステップＳ３２：Ｎｏ）、つまりコンテンツの再生停止操作が行われていないと判断された場合は、第１の制御部１７は、検出部１７によるホールド設定装置２０の検出を監視し続け、ホールド設定装置２０が検出されているか否かを判断する（ステップＳ２５）。
【００７４】
ステップＳ２５において、ホールド設定装置２０が検出されていると判断された場合は（ステップＳ２５：Ｙｅｓ）、ステップＳ３２に推移し、コンテンツ動作の停止操作がされたか否かを判断する（ステップＳ３２）。
【００７５】
ステップＳ３２において、コンテンツ動作の停止が行われたと判断された場合（ステップＳ３２：Ｙｅｓ）、つまりコンテンツの再生停止操作が行われたと判断された場合は、コンテンツ動作処理部１７２によりコンテンツの動作を停止させ（ステップＳ３３）、本処理を終了する。つまりコンテンツの再生を停止させ、本処理を終了する。
【００７６】
上述したような処理によれは、一旦コンテンツ操作部１２４による操作によってコンテンツの再生開始や記録開始等コンテンツの動作を開始させた場合は、次にコンテンツ操作部１２４の操作によってコンテンツの動作を終了させるまでの間、ホールド設定装置２０の近接によってのみ操作部１２による操作を行うことができる。また、コンテンツの動作を終了させるための操作も、ホールド設定装置２０が近接している間のみ行うことができる。
【００７７】
このため、コンテンツに係る動作が行われている間、ユーザが意図してホールド設定装置２０を近接させた状態とならない限り、ホールド機能が動作するため、容易に携帯型電子装置１０の誤操作を防止することができる。
【００７８】
次に、携帯型電子装置１０とホールド設定装置２０とからなるホールド設定システム３０の他の形態について、図９および図１０を用いて説明する。上述したように、携帯型電子装置１０およびホールド設定装置２０は、各種形態をとることができるが、一例としてユーザがホールド設定装置２０の存在およびホールド設定装置２０を携帯型電子装置１０に近接させる動作を意識させない例を示す。
【００７９】
図９は、携帯型電子装置１０の例として図３同様の片手または両手で把持可能な矩形の装置であり、ホールド設定装置２０の例として、腕時計４０にホールド設定装置２０を内蔵した場合である。
【００８０】
このようなホールド設定システム３０は、ユーザが携帯型電子装置１０を腕時計４０が装着された側の手で把持することによって、携帯型電子装置１０とホールド設定装置２０とが近距離通信を行うことができる距離となる。このため携帯型電子装置１０を把持しているときにはホールド機能が解除され、操作部１２により各種操作を行うことができる。また、携帯型電子装置１０を鞄やポケットに入れた場合や他の場所に置いた状態においては、携帯型電子装置１０と腕時計４０に内蔵されたホールド設定装置２０が近距離通信を行うことができない距離となるため、ホールド機能が動作し操作部１２による操作が制限される。
【００８１】
ホールド設定装置２０における第２のコイル部２１、第２の制御部２２、第２の記憶部２３は、腕時計４０のリストバンドに内蔵されてもよく、腕時計４０の本体に内蔵されてもよい。また、携帯型電子装置１０における検出部１３は、携帯型電子装置１０の側面１０２や表面１０３、下面１０３側に配置されることが好ましい。
【００８２】
図１０は、携帯型電子装置１０の例として図３同様の片手または両手で把持可能な装置であり、ホールド設定装置２０の例として、ヘッドホン５０に接続され、ヘッドホン５０に対して出力されるコンテンツの操作を行うリモコン装置５２にホールド設定装置２０を内蔵した場合である。
【００８３】
ヘッドホン５０は、携帯型電子装置１０の出力部１５に接続され、音声コンテンツの聴取を行うことができる。リモコン装置５２は、ユーザによって操作されることにより、ヘッドホン５０で聴取する音声コンテンツの操作に係る操作を行う操作信号を第１の制御部１７に送出する。
【００８４】
このようなホールド設定システム３０は、ユーザがヘッドホン５０を頭部に装着することによって、リモコン装置５２が例えばユーザの胸部近傍に配置されることとなる。このため、ユーザが携帯型電子装置１０を把持して操作を行う場合にユーザの胸部近傍で行うことが多いため、携帯型電子装置１０の操作を行う際に、ユーザがホールド設定装置２０の位置を意識することなく、近接させることができる。
【００８５】
この場合のリモコン装置５２におけるコンテンツに対する各種操作は、リモコン装置の操作によってコンテンツ操作部１２４による操作と同等の操作コードを携帯型電子装置１０に送出するものであり、具体的にはコンテンツの再生開始や再生終了、記録開始や記録終了に加えて、音量操作、スキップ、早送り、早戻し等の操作が可能である。
【００８６】
ホールド設定装置２０の離間に伴うホールド機能処理部１７１による操作部１２による操作の制限は、リモコン装置５２による操作も制限してもよく、リモコン装置５２による操作を制限しない制御としてもよい。
【００８７】
なお、本発明は上述した実施の形態のみに限定されるものではなく、本発明の要旨を逸脱しない範囲において種々の変更（付加及び削除も含む。）が可能である。
【００８８】
例えば、携帯型電子装置１０とホールド設定装置２０の近距離通信方式を非接触型の近距離通信として説明したが、接触型であってもよく、その場合は接触の度にホールド機能のオン／オフを制御することができる。
また、近距離通信方式は、非接触ＩＣ通信以外にブルートゥース方式や赤外線通信等であってもよい。
【００８９】
また、携帯型電子装置１０にホールド設定装置２０が近接し、ホールド機能が解除されている状態で、所定時間以上操作部１２による操作が受け付けられない場合は、ホールド機能を動作させてもよい。その場合、ホールド設定装置２０を一旦携帯型電子装置１０と離間させて、再度近接させることによりホールド機能を解除することができる。
【００９０】
また、表示部１１が液晶表示装置である場合は、ホールド機能が動作している間、液晶表示装置が備えるバックライトを消灯し、ホールド設定装置２０の近接によってホールド機能が解除されたときは、バックライトを点灯させてもよい。表示部１１が有機ＥＬ表示素子である場合は、ホールド機能が動作している間表示輝度を低くしてもよい。これにより、ユーザはホールド設定装置２０の近接によって、操作部１２による操作が可能となったことを認識することができる。
【００９１】
また、上記説明した本発明を適用したプログラムを、携帯型電子装置１０を動作させるコンピュータにインストールして動作させてもよい。インストールするプログラムは、電気通信ネットワークを介して配布されてもよく、記録媒体を介して配布されてもよい。
【符号の説明】
【００９２】
１０：携帯型電子装置、１１：表示部、１２：操作部、１３：検出部、１４：入力部、１５：出力部、１６：第１の記憶部、１７：第１の制御部、２０：ホールド設定装置、２１：第２のコイル部、２２：第２の制御部、２３：第２の記憶部、３０：ホールド設定システム
【図１】
2012142863.tif 000003
【図２】
2012142863.tif 000004
【図３】
2012142863.tif 000005
【図４】
2012142863.tif 000006
【図５】
2012142863.tif 000007
【図６】
2012142863.tif 000008
【図７】
2012142863.tif 000009
【図８】
2012142863.tif 000010
【図９】
2012142863.tif 000011
【図１０】
2012142863.tif 000012